(57)【要約】【課題】アプリケーションによる所定の動作に伴って表示される状態変化の通知の表記を、所定の条件に応じて変更可能な携帯電子機器及び携帯電子機器の制御方法を提供する。【解決手段】携帯電子機器は、表示部２１と、文字及び数字が割り当てられるキーを含むキー操作部（操作部１１）と、第１のアプリケーションが所定の動作を行っている状態において、キーが操作されて第２のアプリケーションを起動し、操作されたキーに割り当てられる文字及び数字に関する処理を実行し、処理を実行している状況下で第１のアプリケーションにおける状態変化が発生し、第１の条件を満たす場合には、第１のアプリケーションにおける状態変化の通知を第１の態様で表示部２１に表示させ、第２の条件を満たす場合には、状態変化の通知を第２の態様で表示部２１に表示させるよう制御する制御部４５とを備える。【選択図】図２
2011097305.tif 000002
【特許請求の範囲】
【請求項１】
表示部と、
文字及び数字が割り当てられるキーを含むキー操作部と、
第１のアプリケーションが所定の動作を行っている状態において、前記キーが操作されて第２のアプリケーションを起動し、操作された前記キーに割り当てられる文字及び数字に関する処理を実行し、前記処理を実行している状況下で前記第１のアプリケーションにおける状態変化が発生し、第１の条件を満たす場合には、前記第１のアプリケーションにおける前記状態変化の通知を第１の態様で前記表示部に表示させ、第２の条件を満たす場合には、前記状態変化の通知を第２の態様で前記表示部に表示させるよう制御する制御部と、を備える携帯電子機器。
【請求項２】
前記第１の条件とは、前記状態変化の発生から所定時間内に、操作された前記キーに割り当てられる文字に関する変換処理、確定処理若しくは中断処理が前記第２のアプリケーションによって実行されたこと、又は複数の選択項目を含むサブメニューが前記表示部に表示されたことであり、
前記第２の条件とは、前記状態変化の発生から前記所定時間を超えて、操作された前記キーに割り当てられる文字に関する変換処理、確定処理若しくは中断処理が前記第２のアプリケーションによって実行されたこと、又は複数の選択項目を含むサブメニューが前記表示部に表示されたことである請求項１に記載の携帯電子機器。
【請求項３】
前記状態変化の通知は、前記第１のアプリケーションにより前記所定の動作が行われて、保存データが発生したことを示す情報、外部機器から送信されてきたデータの受信が完了したことを示す情報、エラーを示す情報又は内部に記憶されるデータが更新されたことを示す情報である請求項１又は２に記載の携帯電子機器。
【請求項４】
前記第１のアプリケーションは、外部機器とデータの送受信を行うアプリケーション又は被写体の撮影を行うアプリケーションである請求項１に記載の携帯電子機器。
【請求項５】
前記制御部は、前記第１のアプリケーションが前記所定の動作として外部機器からデータを受信し、前記データの受信を終了することにより前記状態変化が発生し、操作された前記キーに割り当てられる文字に関する確定処理が前記第２のアプリケーションによって実行された場合、確定処理が行われた文字列又は数字列を、受信した前記データのファイル名に設定する請求項１に記載の携帯電子機器。
【請求項６】
無線通信部をさらに備え、
前記キーは、前記無線通信部により発呼を行うための電話番号を入力可能なテンキーである請求項１から５のいずれか一項に記載の携帯電子機器。
【請求項７】
文字及び数字が割り当てられるキーを備える携帯電子機器の制御方法であって、
第１のアプリケーションが所定の動作を行っている状態において、前記キーが操作されて第２のアプリケーションを起動し、操作された前記キーに割り当てられる文字及び数字に関する処理を実行する工程と、
前記処理を実行している状況下で前記第１のアプリケーションにおける状態変化が発生し、第１の条件を満たす場合には、前記第１のアプリケーションにおける前記状態変化の通知を第１の態様で表示させ、第２の条件を満たす場合には、前記状態変化の通知を第２の態様で表示させる工程と、を行う携帯電子機器の制御方法。
【発明の詳細な説明】
【技術分野】
【０００１】
本発明は、擬似的なマルチタスクオペレーティングシステムを備える携帯電子機器及び携帯電子機器の制御方法に関する。
【背景技術】
【０００２】
携帯電話機等の携帯電子機器は、赤外線通信やインターネット等の通信手段によりデータを受信した場合やメールを受信した場合、その他、ユーザに対して報知を行うことが必要になった場合には、所定の報知を表示部に表示する（特許文献１参照）。
【先行技術文献】
【特許文献】
【０００３】
【特許文献１】特開２００４−２６６６９１号公報
【発明の概要】
【発明が解決しようとする課題】
【０００４】
携帯電子機器では、第１のアプリケーションが所定の動作（例えば、メール受信）を行っている状態の下で、第２のアプリケーションに対する操作が行われる場合、所定の動作に伴って状態変化の通知（例えば、メールを受信した旨の受信完了通知）を表示部に表示させることが必要になったときでも、第２のアプリケーションに対する操作が中断等するまでは、状態変化の通知を表示させることはできなかった。
【０００５】
本発明は、アプリケーションによる所定の動作に伴って表示される状態変化の通知の表記を、所定の条件に応じて変更可能な携帯電子機器及び携帯電子機器の制御方法を提供することを目的とする。
【課題を解決するための手段】
【０００６】
本発明の携帯電子機器は、表示部と、文字及び数字が割り当てられるキーを含むキー操作部と、第１のアプリケーションが所定の動作を行っている状態において、前記キーが操作されて第２のアプリケーションを起動し、操作された前記キーに割り当てられる文字及び数字に関する処理を実行し、前記処理を実行している状況下で前記第１のアプリケーションにおける状態変化が発生し、第１の条件を満たす場合には、前記第１のアプリケーションにおける前記状態変化の通知を第１の態様で前記表示部に表示させ、第２の条件を満たす場合には、前記状態変化の通知を第２の態様で前記表示部に表示させるよう制御する制御部と、を備えることを特徴とする。
【０００７】
また、前記第１の条件とは、前記状態変化の発生から所定時間内に、操作された前記キーに割り当てられる文字に関する変換処理、確定処理若しくは中断処理が前記第２のアプリケーションによって実行されたこと、又は複数の選択項目を含むサブメニューが前記表示部に表示されたことであり、前記第２の条件とは、前記状態変化の発生から前記所定時間を超えて、操作された前記キーに割り当てられる文字に関する変換処理、確定処理若しくは中断処理が前記第２のアプリケーションによって実行されたこと、又は複数の選択項目を含むサブメニューが前記表示部に表示されたことである、ということが好ましい。
【０００８】
また、前記状態変化の通知は、前記第１のアプリケーションにより前記所定の動作が行われて、保存データが発生したことを示す情報、外部機器から送信されてきたデータの受信が完了したことを示す情報、エラーを示す情報又は内部に記憶されるデータが更新されたことを示す情報であることが好ましい。
【０００９】
また、前記第１のアプリケーションは、外部機器とデータの送受信を行うアプリケーション又は被写体の撮影を行うアプリケーションであることが好ましい。
【００１０】
また、前記制御部は、前記第１のアプリケーションが前記所定の動作として外部機器からデータを受信し、前記データの受信を終了することにより前記状態変化が発生し、操作された前記キーに割り当てられる文字に関する確定処理が前記第２のアプリケーションによって実行された場合、確定処理が行われた文字列又は数字列を、受信した前記データのファイル名に設定することが好ましい。
【００１１】
また、本発明の携帯電子機器は、無線通信部をさらに備え、前記キーは、前記無線通信部により発呼を行うための電話番号を入力可能なテンキーであることが好ましい。
【００１２】
本発明は、文字及び数字が割り当てられるキーを備える携帯電子機器の制御方法であって、第１のアプリケーションが所定の動作を行っている状態において、前記キーが操作されて第２のアプリケーションを起動し、操作された前記キーに割り当てられる文字及び数字に関する処理を実行する工程と、前記処理を実行している状況下で前記第１のアプリケーションにおける状態変化が発生し、第１の条件を満たす場合には、前記第１のアプリケーションにおける前記状態変化の通知を第１の態様で表示させ、第２の条件を満たす場合には、前記状態変化の通知を第２の態様で表示させる工程と、を行うことを特徴とする。
【発明の効果】
【００１３】
本発明によれば、アプリケーションによる所定の動作に伴って表示される状態変化の通知の表記を、所定の条件に応じて変更することができる。
【図面の簡単な説明】
【００１４】
【図１】本発明の携帯電子機器の一実施形態に係る携帯電話機の外観斜視図である。
【図２】携帯電話機の機能を示す機能ブロック図である。
【図３】キーアサインについての説明に供する図である。
【図４】携帯電話機が機能を発揮するための構成を示す機能ブロック図である。
【図５】携帯電話機の制御方法について説明するためのフローチャートである。
【図６】携帯電話機が動作する場合の画面状態の遷移について説明するための図である。
【図７】携帯電話機の動作について説明するためのフローチャートである。
【図８】ステップＳ３０５の所定の処理について詳細に説明するためのフローチャートである。
【発明を実施するための形態】
【００１５】
以下、本発明の一実施形態について説明する。図１は、本発明の携帯電子機器の一実施形態に係る携帯電話機１の外観斜視図である。なお、図１は、いわゆる折り畳み型の携帯電話機の形態を示しているが、本発明に係る携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１６】
携帯電話機１は、操作部側筐体部２と、表示部側筐体部３とを備える。操作部側筐体部２は、表面部１０に、操作部１１（キー操作部）と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネル上に配置するようにしてもよい。
【００１７】
また、表示部側筐体部３は、表面部２０に、各種情報を表示する表示部２１と、通話の相手側の音声を出力するスピーカ２２とを備える。
【００１８】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００１９】
また、図２は、携帯電話機１の機能を示す機能ブロック図である。携帯電話機１は、図２に示すように、操作部１１と、マイク１２と、メインアンテナ４０と、ＲＦ回路部４１と、画像処理部４２と、音声処理部４３と、メモリ４４と、制御部４５とを操作部側筐体部２に備える。また、携帯電話機１は、図２に示すように、表示部２１と、スピーカ２２と、ドライバＩＣ２３とを表示部側筐体部３に備える。
【００２０】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２１】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。
【００２２】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２３】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２４】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２５】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２６】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４及び決定操作キー１５）に割り当てる文字・数字・記号や機能を変化させる。
【００２７】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００２８】
なお、記号の処理の実行とは、例えば、現在アクティブになっているアプリケーションがメモ帳の場合には、「１」や「あ」を表示部２１に表示することを意味している。また、機能の処理の実行とは、例えば、現在アクティブになっているアプリケーションがテレビの場合には、表示チャンネルを１ｃｈに設定することを意味している。
【００２９】
また、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３０】
このように構成される携帯電話機１は、アプリケーションによる所定の動作に伴って表示部２１に表示される状態変化の通知の表記を、所定の条件に応じて変更可能な機能を有する。
以下に、携帯電話機１に係る上記機能を発揮するための構成と動作について詳述する。まず、本実施形態に係る携帯電話機１の上記機能を発揮するための構成について、図４を参照しながら説明する。図４は、携帯電話機１が上記機能を発揮するための構成を示す機能ブロック図である。
【００３１】
［第１構成例］
携帯電話機１は、表示部２１（図２参照）と、操作部１１と、制御部４５とを備える。
操作部１１は、文字及び数字が割り当てられる入力操作キー１４を含むものである。
【００３２】
制御部４５は、第１のアプリケーションが所定の動作を行っている状態において、入力操作キー１４が操作されて第２のアプリケーションを起動し、操作されたキーに割り当てられる文字及び数字に関する処理を実行し、処理を実行している状況下で第１のアプリケーションにおける状態変化が発生し、第１の条件を満たす場合には、第１のアプリケーションにおける状態変化の通知を第１の態様で表示部２１に表示させ、第２の条件を満たす場合には、状態変化の通知を第２の態様で表示部２１に表示させるよう制御する。
【００３３】
第１のアプリケーションは、外部機器とデータの送受信を行うアプリケーション又は被写体の撮影を行うアプリケーションである。外部機器とデータの送受信を行う場合、携帯電話機１は、無線又は有線により外部機器とデータの送受信を行う。なお、無線によりデータの送受信を行う場合に利用される通信方法の一例としては、インターネット等の公衆網を利用する通信、赤外線通信又はＧＨｚ帯の電波を利用する近距離無線通信等である。また、外部機器は、携帯電話機１に挿入されて、データの送受信（転送）を行うことができる外部メモリであってもよい。
第１のアプリケーションは、メモリ４４に格納される。
【００３４】
第１のアプリケーションが行う所定の動作とは、外部機器とデータの送受信を行う動作又は被写体を撮影する動作等である。
第１のアプリケーションにおける状態変化とは、外部機器からのデータの受信が完了したこと、外部機器へのデータの送信が完了したこと、撮影された画像の保存が終了したこと、エラーが発生したこと、又はメモリ４４に記憶されるデータが更新されたこと等である。
【００３５】
第１のアプリケーションにおける状態変化の通知は、第１のアプリケーションにより所定の動作が行われて、保存データが発生したことを示す情報、外部機器から送信されてきたデータの受信が完了したことを示す情報、エラーを示す情報又は内部に記憶されるデータが更新されたことを示す情報である。
【００３６】
第２のアプリケーションは、入力操作キー１４の操作に基づいて文字及び数字が入力され、入力された文字について仮名変換又は漢字変換等の変換処理、及び変換処理が行われた文字の確定処理を行うことができるアプリケーションである。また、第２のアプリケーションは、入力された文字及び数字を他のアプリケーションに入力させることができるアプリケーションである。
第２のアプリケーションは、メモリ４４に格納される。
【００３７】
制御部４５は、アプリケーション選択部４５１と、アプリケーション選択部４５１とを備える。
アプリケーション選択部４５１は、制御部４５内において生成された起動要求に応じて、メモリ４４に格納されるアプリケーションを選択する。
アプリケーション起動部４５２は、アプリケーション選択部４５１により選択されたアプリケーションを起動する。
【００３８】
入力操作キー１４には、第１のアプリケーションが起動されてアクティブな状態となっている場合に、制御部４５により、第１のアプリケーションに関するキーアサインが行われる。例えば、第１のアプリケーションが被写体の撮影を行うアプリケーションである場合、入力操作キー１４を構成するキーには、撮影サイズを切り替える機能、ライトを点灯させる機能、画像補正を行う機能等がそれぞれ割り当てられる。
また、入力操作キー１４には、第２のアプリケーションが起動されてアクティブな状態となっている場合に、制御部４５により、第２のアプリケーションに関するキーアサインが割り当てられる（文字及び数字が割り当てられる）。
【００３９】
アプリケーション選択部４５１は、第１のアプリケーションが所定の動作を行っている状況下において、入力操作キー１４が操作された場合、メモリ４４に格納されている第２のアプリケーションを選択する。さらに、アプリケーション起動部４５２は、アプリケーション選択部４５１により選択された第２のアプリケーションを起動する。
【００４０】
制御部４５は、第２のアプリケーションを起動することにより、第１のアプリケーションをバックグラウンドで動作させ、第２のアプリケーションをフォアグラウンドで動作させる。これにより、第２のアプリケーションは、入力操作キー１４の操作に基づいて入力される文字の変換処理等の、文字及び数字に関する処理を実行することが可能になる。
【００４１】
第１の条件とは、状態変化の発生から所定時間内に、操作されたキーに割り当てられる文字に関する変換処理、確定処理若しくは中断処理が第２のアプリケーションによって実行されたこと、又は複数の選択項目を含むサブメニューが表示部２１に表示されたことである。
第２の条件とは、状態変化の発生から所定時間を超えて、操作されたキーに割り当てられる文字に関する変換処理、確定処理若しくは中断処理が第２のアプリケーションによって実行されたこと、又は複数の選択項目を含むサブメニューが表示部２１に表示されたことである。
【００４２】
中断処理とは、第２のアプリケーションへの文字及び数字の入力が中断したことである。すなわち、中断処理とは、第２のアプリケーションがフォアグラウンドで動作している場合に、一定時間以上の間、入力操作キー１４が操作されなかったことである。
【００４３】
サブメニューは、例えば、第２のアプリケーションに入力された文字について確定処理が行われた場合に表示部２１に表示される。選択項目は、例えば、確定処理が行われた文字に基づいて、インターネット検索を行う、キーワード検索を行う又は乗換検索を行う等の項目である。したがって、例えば、選択項目としてのインターネット検索が選択された場合、携帯電話機１は、確定処理が行われた文字についてインターネットを利用して検索を行わせる。
【００４４】
したがって、携帯電話機１は、状態変化の通知を第１の態様又は第２の態様で表示部２１に表示させるので、状態変化の通知の表記を変更することができる。
【００４５】
［第２構成例］
また、制御部４５は、第１のアプリケーションが所定の動作として外部機器からデータを受信し、データの受信を終了することにより状態変化が発生し、操作されたキーに割り当てられる文字に関する確定処理が第２のアプリケーションによって実行された場合、確定処理が行われた文字列又は数字列を、受信したデータのファイル名に設定することが好ましい。
【００４６】
この文字列又は数字列をデータのファイル名に設定する場合、例えば、次の処理が行われればよい。まず、制御部４５は、第２のアプリケーションによって文字列又は数字列の確定処理が行われた場合に、確定処理が行われた文字列又は数字列をデータのファイル名に設定するという選択項目が含まれるサブメニューを表示部２１に表示させるよう制御する。決定操作キー１５の操作に基づいてファイル名に設定するという選択項目が選択された場合、制御部４５は、文字列又は数字列をデータのファイル名に設定する。なお、データにファイル名が既に設定されている場合、制御部４５は、既に設定されているファイル名を、確定処理が行われた文字列又は数字列に変更することが可能である。
【００４７】
したがって、携帯電話機１は、第１のアプリケーションがデータを受信している際に、第２のアプリケーションに入力された文字を、第１のアプリケーションが受信したデータのファイル名に設定するので、データの受信完了後に文字を入力してその文字をデータのファイル名に設定する場合に比べて、ファイル名の設定時間を短くすることができる。
【００４８】
［第３構成例］
また、携帯電話機１は、無線通信部４６をさらに備える。無線通信部４６は、メインアンテナ４０及びＲＦ回路部４１から構成される。この場合、入力操作キー１４は、無線通信部４６により発呼を行うための電話番号を入力可能なテンキーである。
したがって、入力操作キー１４を操作することにより、電話番号を入力することができる。
【００４９】
次に、携帯電話機１の制御方法について説明する。図５は、携帯電話機１の制御方法について説明するためのフローチャートである。
携帯電話機１の制御部４５は、処理実行工程Ｓ１と、表示工程Ｓ２とを行う。
具体的には、処理実行工程Ｓ１において、制御部４５は、第１のアプリケーションが所定の動作を行っている状態において、キーが操作されて第２のアプリケーションを起動し、操作されたキーに割り当てられる文字及び数字に関する処理を実行する。
【００５０】
また、表示工程Ｓ２において、制御部４５は、処理実行工程Ｓ１において処理を実行している状況下で第１のアプリケーションにおける状態変化が発生し、第１の条件を満たす場合には、第１のアプリケーションにおける状態変化の通知を第１の態様で表示させ、第２の条件を満たす場合には、状態変化の通知を第２の態様で表示させる。
したがって、携帯電話機１は、状態変化の通知を第１の態様又は第２の態様で表示部２１に表示させるので、状態変化の通知の表記を変更することができる。
【００５１】
次に、携帯電話機１の動作について説明する。まず、携帯電話機１が動作する場合の画面状態について具体的一例を挙げて説明する。図６は、携帯電話機１が動作する場合の画面状態の遷移について説明するための図である。
【００５２】
まず、表示部２１には、赤外線通信を利用して外部機器からデータを受信している旨（「赤外線通信中」）が表示される（図６（Ａ）参照）。すなわち、表示部２１には、第１のアプリケーションが所定の動作を行っている状況が表示される。
【００５３】
続いて、入力操作キー１４を構成するいずれかのキーが操作された場合、表示部２１には、操作されたキーに割り当てられる文字及び数字が共に表示される（図６（Ｂ）参照）。すなわち、表示部２１には、第２のアプリケーションの文字及び数字の入力画面が表示される。
なお、第２のアプリケーションへの文字及び数字の入力中に、第１のアプリケーションが所定の動作を終了した（状態変化が発生した）ものとする。
【００５４】
続いて、入力操作キー１４を構成するいずれかのキーの操作が所定時間（例えば、３秒間）なかった場合、第２のアプリケーションは、状態変化の発生から所定時間内に、キーに割り当てられる文字に関する中断処理が発生したと判断する。この結果、表示部２１には、状態変化の通知が第１の態様で表示される。すなわち、表示部２１には、データの受信が完了したことを示す通知として、「赤外線データを受信しました」がポップアップ表示される（図６（Ｃ）参照）。
【００５５】
また、入力操作キー１４の操作が所定時間（例えば、３秒間）を超えて行われた後、入力操作キー１４に割り当てられる文字に関する中断処理が発生した場合、表示部２１には、状態変化の通知が第２の態様で表示される。すなわち、表示部２１には、データの受信が完了したことを示す通知として、「赤外線データが受信されました」がポップアップ表示される（図６（Ｄ）参照）。
【００５６】
また、図６（Ｂ）に示す場合に続き、状態変化の発生から所定時間内に、入力された文字の確定処理が行われた場合、表示部２１には、データの受信が完了したことを示す通知として、「赤外線データを受信しました」がポップアップ表示される（図６（Ｅ）参照）。
なお、状態変化の発生から所定時間経過後に入力された文字の確定処理が行われた場合、表示部２１には、「赤外線データが受信されました」が表示される。
【００５７】
また、図６（Ｂ）に示す場合に続き、状態変化の発生から所定時間内に、サブメニューが表示された場合、表示部２１には、データの受信が完了したことを示す通知として、「赤外線データを受信しました」がポップアップ表示される（図６（Ｆ）参照）。
なお、状態変化の発生から所定時間経過後にサブメニューが表示された場合、表示部２１には、「赤外線データが受信されました」が表示される。
【００５８】
次に、携帯電話機１の動作の流れについて説明する。図７は、携帯電話機１の動作について説明するためのフローチャートである。図８は、ステップＳ３０５の所定の処理について詳細に説明するためのフローチャートである。
【００５９】
まず、図７を参照して携帯電話機１の動作について説明する。
ステップＳ１００からステップＳ１０２は、第１のアプリケーションに関する処理である。ステップＳ２００からステップＳ２０９は、制御部４５に関する処理である。ステップＳ３００からステップＳ３０５は、第２のアプリケーションに関する処理である。
【００６０】
ステップＳ１００において、第１のアプリケーションは、所定の動作処理を行う。
ステップＳ１０１において、第１のアプリケーションは、ステップＳ１００の処理における所定の動作が完了すると、所定の動作の完了処理を行う。
ステップＳ１０２において、第１のアプリケーションは、所定の動作が完了した旨の通知（表示）を行わせるために、所定の動作の完了を制御部４５に通知する（動作完了通知を行う）。
【００６１】
ステップＳ２００において、制御部４５は、入力操作キー１４を構成するいずれかのキーが操作されたことを検知する。
ステップＳ２０１において、制御部４５は、ステップＳ２００の処理としてのキー操作検知に基づいて、第２のアプリケーションを起動させる指示（起動要求）を生成する。
【００６２】
ステップＳ２０２において、制御部４５は、ステップＳ２００の処理として検知された操作キーの情報（キーアサイン）を第２のアプリケーションに通知する。
ステップＳ２０３において、制御部４５は、ステップＳ１０２の処理による動作完了通知を検知する。
ステップＳ２０４において、制御部４５は、タイマー（不図示）による計時を開始させる（タイマーＯＮ）。
ステップＳ２０５において、制御部４５は、第１のアプリケーションによる所定の動作が完了した（状態変化が発生した）旨を示すポップアップ出力要求（状態変化の通知を表示させる要求）を第２のアプリケーションに供給する。
【００６３】
ステップＳ２０６において、制御部４５は、後述するステップＳ３０５４からのポップアップ出力ＯＫ通知（状態変化の通知を表示させる旨の通知）が検知されたか否かを判断する。ポップアップ出力ＯＫ通知を検知した場合（Ｙｅｓ）には、ステップＳ２０７に進む。ポップアップ出力ＯＫ通知を検知しない場合（Ｎｏ）には、ステップＳ２０２に進む。
【００６４】
ステップＳ２０７において、制御部４５は、ステップＳ２０４の処理として開始した計時が所定時間を経過したか否かを判断する。所定時間を経過していない場合（Ｎｏ）には、ステップＳ２０８に進む。所定時間を経過している場合（Ｙｅｓ）には、ステップＳ２０９に進む。
【００６５】
ステップＳ２０８において、制御部４５は、ポップアップＡを表示部２１に表示させる処理を行う。すなわち、制御部４５は、状態変化の通知を第１の態様で表示部２１に表示させるよう制御する。
ステップＳ２０９において、制御部４５は、ポップアップＡとは表記が異なるポップアップＢを表示部２１に表示させる処理を行う。すなわち、制御部４５は、状態変化の通知を第２の態様で表示部２１に表示させるよう制御する。
【００６６】
ステップＳ３００において、第２のアプリケーションは、ステップＳ２０１の処理による第２のアプリケーションを起動させる指示（起動要求）を検知する。
ステップＳ３０１において、制御部４５は、第２のアプリケーションを起動させる。
ステップＳ３０２において、制御部４５は、第２のアプリケーションが起動されるのに応じて、文字及び数字の入力画面を表示部２１に表示させるよう表示部２１の表示更新処理を行う。
【００６７】
ステップＳ３０３において、第２のアプリケーションは、ステップＳ２０２の処理として受け入れたキー情報の通知に基づいて、文字及び数字を表示部２１に表示させる処理を行う。
ステップＳ３０４において、第２のアプリケーションは、ステップＳ２０５の処理によるポップアップ出力要求を検知する。
ステップＳ３０５において、第２のアプリケーションは、所定の処理を行う。
【００６８】
次に、図８を参照して、ステップＳ３０５の所定の処理について詳細に説明する。
ステップＳ３０５１において、第２のアプリケーションは、ポップアップ出力（状態変化の通知）を行う条件が、文字の変換処理が行われたこと、入力された文字の確定処理が行われたこと、文字の入力が中断したこと、及びサブメニューが表示部２１に表示されたことのうちいずれであるのかを判断する。条件が変換処理の場合又は確定処理の場合には、ステップＳ３０５２に進む。条件が文字入力の中断の場合には、ステップＳ３０５５に進む。条件がサブメニューの表示の場合には、ステップＳ３０５６に進む。
【００６９】
ステップＳ３０５２において、第２のアプリケーションは、入力された文字列について変換処理又は確定処理を行うための操作を検知したか否かを判断する。文字列の変換処理又は確定処理を行うための操作を検知した場合（Ｙｅｓ）には、ステップＳ３０５３に進む。文字列の変換処理又は確定処理を行うための操作を検知していない場合（Ｎｏ）には、ステップＳ３０３に進む。
【００７０】
ステップＳ３０５３において、第２のアプリケーションは、変換処理又は確定処理が行われた文字列を表示部２１に表示させる処理を行う。
ステップＳ３０５４において、第２のアプリケーションは、ポップアップ出力ＯＫ通知（状態変化の通知を表示させる旨の通知）を制御部４５に供給する。
【００７１】
ステップＳ３０５５において、第２のアプリケーションは、文字入力が中断したか否かを判断する。文字入力が中断した場合（Ｙｅｓ）には、ステップＳ３０５４に進む。文字入力が中断していない場合（Ｎｏ）には、ステップＳ３０３に進む。
【００７２】
ステップＳ３０５６において、第２のアプリケーションは、表示部２１にサブメニューを表示させるための操作を検知したか否かを判断する。サブメニュー表示操作を検知した場合（Ｙｅｓ）には、ステップＳ３０５７に進む。サブメニュー表示操作を検知していない場合（Ｎｏ）には、ステップＳ３０３に進む。
ステップＳ３０５７において、第２のアプリケーションは、サブメニューを表示部２１に表示させる処理を行う。
【００７３】
なお、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイス等の携帯電子機器にも適用することができる。
【符号の説明】
【００７４】
１  携帯電話機（携帯電子機器）
１１  操作部（キー操作部）
２１  表示部
４５  制御部
４６  無線通信部
【図１】
2011097305.tif 000003
【図２】
2011097305.tif 000004
【図３】
2011097305.tif 000005
【図４】
2011097305.tif 000006
【図５】
2011097305.tif 000007
【図６】
2011097305.tif 000008
【図７】
2011097305.tif 000009
【図８】
2011097305.tif 000010